(57)【要約】      （修正有）【課題】機械的な振動ノイズ、不衛生になること、手の汗などによる凹部発生、絵柄が微妙にずれること、これらを同時に解決するワイヤレスマイクロフォン装置を提供する。【解決手段】音信号入力部、マイクヘッド部１、電源スイッチ部、アルミニウムからなる外装上部と外装下部、および、信号放射部５を有するワイヤレスマイクロフォン装置において、外装上部と外装下部の、電源スイッチ部と信号放射部５を除いた部分に、音信号を減衰させるフィルム７を配置し、かつ、このフィルム７を分子間力により外装上部・外装下部に付着させている。【選択図】図１
0003216939.tif 000002
【実用新案登録請求の範囲】
【請求項１】
音信号を電気信号に変換する音信号入力部、該音信号入力部を覆うマイクヘッド部、電源スイッチ部、音信号処理回路基板等を覆うアルミニウムからなる外装上部と外装下部、および、信号放射部を有するワイヤレスマイクロフォン装置において、該外装上部と該外装下部の、該電源スイッチ部と該信号放射部を除いた部分を覆うように、音信号を減衰させるフィルムを設置し、かつ、該フィルムは分子間力により外装部に付着していることを特徴とするワイヤレスマイクロフォン装置。
【考案の詳細な説明】
【技術分野】
【０００１】  本考案はワイヤレスマイクロフォン装置に関するものである。
【背景技術】
【０００２】  従来のワイヤレスマイクロフォン装置は、カラオケボックス、カラオケスナックやカラオケ教室などで、大勢の人々に利用されている。これらのワイヤレスマイクロフォン装置は、図２を用いて説明すると、マイクヘッド部１、外装上部２、外装下部３、電源スイッチ部４、赤外線や電波を発射する信号放射部５から構成されている。音信号入力部６は、外装上部２の中で固定され、マイクヘッド部１の中にほぼ入っている。【０００３】  従来の技術としては、マイクヘッド部１に被せるスポンジがある。これは風切り音を低減させる効果を有する。また、交換することにより、ワイヤレスマイクロフォン装置のマイクヘッド部を衛生的に保つこともできる。また、ワイヤレスマイクロフォン装置用のマイクロフォンカバーとして、柔らかい素材（ウレタン製、布製、ビニール製など）でできている筒状のものが「マイクロフォンカバー」として販売されている。これ等のものは、ワイヤレスマイクロフォン装置を衛生的に保つことができるが、ワイヤレスマイクロフォン装置本来の形状ではなくなる。いわゆる見栄えが悪く、気持ちよく歌を歌うというカラオケの目的には合わなくなる。
【先行技術文献】
【特許文献】
【０００４】  特開平０７−１１１６９０には、マイクロフォン本体部と支持部とからなるマイクロフォンにおいて、少なくとも該マイクロフォン本体部を被覆しかつ着脱自在に取り付けられるカバー部材を消臭及び／または抗菌防臭及び／または防カビ及び／または殺菌機能を有する素材で形成されたマイクロフォンカバーが記載されている。
【特許文献】
【０００５】  特開２００５−６２６７には、如何なる形状のマイクロフォンにも簡単容易に装着することができ、かつカラオケ会場等の雰囲気を盛り上げたり、歌い手の気分を高揚させて楽しく歌うことができるような華やかな装飾性を具備したマイクロフォンカバーが記載されている。また、以下のような実用新案もある。
【実用新案登録文献１】
実登３１３５４６７
【実用新案登録文献２】
実登３１６４３４７
【考案の開示】
【考案が解決しようとする課題】
【０００６】  ワイヤレスマイクロフォン装置では、装置の筐体をたたくとスピーカーから大音量で聞こえる。例えば、金属でできている指輪をはめている時に、金属製のマイクロフォン筐体と接触すると機械的な振動ノイズがマイクロフォン装置に入ったりする。その結果、スピーカーから大音量で好ましくない音がでることになる。これは、アンプやスピーカーの壊れる原因ともなっている。【０００７】  また、長期間使用しているとマイクは不衛生になる。不衛生なだけでなく、見た目にも汚くなる。大勢の人が入れ替わり立ち替わり使用するカラオケ店などでは大問題である。ワイヤレスマイクロフォン装置全体が衛生的でなくなるが、ここで問題にしているのは手で持つ外装上部／下部である。最も汚れるのはマイクヘッド部で、歌う時に口内から唾液や固形物が飛んでくることにより汚くなり、一般的にアルコール消毒で対応しているが、これは、本発明の対象外である。【０００８】  外装上部、外装下部には、手汗などにより、凹部が多数発生する。これはアルミニウムが腐食してできると考えられている。これが発生すると表面のアルマイト等が剥れて汚らしく見栄えが悪い。【０００９】  また、ワイヤレスマイクロフォン装置の筐体すなわち外装上部及び外装下部に、文字や広告などのデザインが付与されている時は、外装下部内に配置されている充電池を交換する時等に、外装上部と外装下部で絵柄が微妙にずれるということが発生する。外装下部には雌ネジが形成されており、外装上部の雄ネジと勘合することで固定されるが、外装下部の締め付け具合により、また、別の外装下部を用いたりすると、デザインの位置が外装上部／下部でずれてしまうのである。これもまた、使用上の問題点となる。【００１０】  本考案は、このような従来の構成が有していた問題を解決しようとするものであり、機械的な振動ノイズ、不衛生になること、手の汗などによる凹部発生、絵柄が微妙にずれること、これらを同時に解決するワイヤレスマイクロフォン装置を提供することを目的とするものである。
【課題を解決するための手段】
【００１１】  本考案では、上記目的を達成するために、音信号入力部、マイクヘッド部、電源スイッチ部、アルミニウムからなる外装上部と外装下部、および、信号放射部を有するワイヤレスマイクロフォン装置において、外装上部と外装下部の、電源スイッチ部と信号放射部を除いた部分に、音信号を減衰させるフィルムを配置し、かつ、このフィルムを分子間力により外装上部・外装下部に付着させている。【００１２】  上記解決手段による作用は以下の通りである。
ワイヤレスマイクロフォン装置の筐体が振動することにより内部に入り込む振動（ノイズ）等は、音信号を吸収するフィルムにより遮断する。また、外装上部、外装下部がフィルムで覆われているため、汚れたら交換することが可能であり、衛生的に使える。また、フィルムがあるとデザイン画や文字などを表示することができ、装飾することができるために、見栄えが良い状態で快適に使用することができる。さらに、華やかな気分で使用することも可能である。当然、宣伝広告にも使用できる。また、外装下部に充電池収納部分がある場合、外装下部を外す必要があるが、本考案では、フィルムが分子間力により付着しているだけなので、簡単にはがせてまた付着させることができるので、充電池が簡単に出し入れできる。また、外装上部、外装下部でフィルムを分ける必要がないために、デザイン画や文字がずれることがなくなる。
【考案の効果】
【００１３】  本考案は、以上説明したように構成されているので、以下に記載されるような効果を奏する。すなわち、筐体の振動として内部に入り込む振動音（ノイズ）を軽減できる。不衛生化を防ぎ、手の汗などによる腐食も防ぐことができる。また、絵柄がずれることもなくなる。これらを同時に実現するワイヤレスマイクロフォン装置を提供することができる。
【図面の簡単な説明】
【００１４】
【図１】本考案のワイヤレスマイクロフォン装置を説明するための斜視図であり、フィルム７を一部剥した状態の図である。
【図２】従来のワイヤレスマイクロフォン装置の分解構成図である。
【図３】音信号を減衰させるフィルムの展開図である。
【考案を実施するための最良の形態】
【実施例】
【００１５】  本考案の実施の形態を実施例に基づき図面を参照して説明する。
音信号を電気信号に変換する音信号入力部６、音信号入力部６を覆うマイクヘッド部１、電源スイッチ部４、音信号処理回路基板等を覆うアルミニウムからなる外装上部２と外装下部３、および、赤外線や電波を発射する信号放射部５を有するワイヤレスマイクロフォン装置において、外装上部２と外装下部３の、電源スイッチ部４と信号放射部５を除いた部分に、音信号を減衰させるフィルム７を被せるように設置し、かつ、このフィルム７を分子間力により外装部に付着させてある。フィルム７の厚みは、充電器に挿入できる等の従来の取り扱い方ができるように、０．１ｍｍ〜０．５ｍｍが望ましい。図１は、本考案のワイヤレスマイクロフォン装置を説明するための斜視図であり、フィルム７を一部剥した状態を示している。【００１６】  フィルム７は、電源スイッチ部用の穴８を有しており、ここを合わせて、外装上部、外装下部に付着固定させる。本実施例では、フィルム７として塩化ビニルを用いている。このフィルムにはさらに結合性の接着剤ではなく、分子間力で密着する接着剤（糊）が施してある。フィルム表面にはアクリル印刷で、キャッチコピーの文字とバーコード、写真が印刷してある。尚、グロス印刷などで、厚みのある印刷を施した場合、機械的振動ノイズに対して帯域フィルターのような効果持たせたり、単純に装飾性を持たせたりもできる。【００１７】  このフィルム７と外装上部２・外装下部３が密着していることにより、内部に入り込む振動（ノイズ）は軽減されている。また、手で持つところ即ち外装上部２、外装下部３付近がフィルム７で覆われているため、汚れたら交換することが可能であり、衛生的に使えるようになっている。また、宣伝広告やバーコード等の別な用途にも使え、カラオケ本来の華やかな気分で使用することも可能である。また、外装下部３に充電池収納部分があるので、外装下部を外す必要があるが、本実施例では、フィルムを剥がすことにより、充電池を簡単に交換できる。また、外装上部、外装下部でフィルムを分ける必要がないために、デザイン画や文字がずれることがない。
【符号の説明】
【００１８】１    マイクヘッド部
２    外装上部
３    外装下部
４    電源スイッチ部
５    信号放射部
６    音信号を電気信号に変換する音信号入力部
７    音信号を減衰させるフィルム
８    電源スイッチ部用の穴
【図１】
0003216939.tif 000003
【図２】
0003216939.tif 000004
【図３】
0003216939.tif 000005